(57)【要約】【課題】  排紙トレイ延長部材が不必要時に無駄なスペースを取らないようにして操作性の向上と省スペースを図る。【解決手段】  用紙幅ガイド装置を搭載した給紙カセットの画像処理装置本体への着脱と、排紙積載トレイに具備した延長部材の伸縮を連動した。【選択図】  図５
2006193272.tif 000002
【特許請求の範囲】
【請求項１】
用紙幅ガイド装置を搭載した給紙カセットの画像処理装置本体への着脱と、排紙積載トレイに具備した延長部材の伸縮を連動したことを特徴とする自動給紙装置。
【発明の詳細な説明】
【技術分野】
【０００１】
本発明は、画像処理装置の記録部へ記録紙を自動的に一枚ずつ給送する自動給紙装置、詳しくは給紙カセットに載置された原稿や記録紙等の用紙におけるその用紙の給紙方向と直交する用紙幅方向の側端をガイドする用紙幅ガイド装置及び排出された原稿や記録紙等の用紙が載置される排紙トレイに関する。
【背景技術】
【０００２】
従来、プリンタや複写機やスキャナ等の画像処理装置においては、給紙カセット等の多数枚記録紙を収納した給紙装置から該記録紙を１枚ずつ給送して、画像形成手段により記録紙上に記録画像を形成するもの、また、手差しで記録紙を給送して記録画像を形成するものが知られている。
【０００３】
前者の給紙カセットによる給紙装置では、近年、特許文献１に開示されているようにフロントローディング形式の給紙カセット前面引き出し構造が採用され、操作性の向上と省スペースに著しい効果がある。
【０００４】
この給紙カセットには、給紙カセットに載置された原稿や記録紙等の用紙の側端を揃えたり給紙カセットから給紙される用紙の側端をガイドする用紙幅ガイド装置が設けられている。このような用紙幅ガイド装置は、給紙カセットに載置された原稿や記録紙等の用紙におけるその用紙の給紙方向と直交する用紙幅方向に延出して給紙カセットに形成されたスリット状の溝と、この溝にスライド自在及び任意位置固定自在に取り付けられたサイドガイドとを備えている。
【０００５】
一方、前述のようなフロントローディング形式の給紙装置を備えた画像処理装置では、処理後の原稿や記録紙等の用紙を排出し積載する排紙トレイも装置前面に位置しているものが多い。
【特許文献１】特開平６−４０６１２号公報
【発明の開示】
【発明が解決しようとする課題】
【０００６】
しかしながら、前述のような従来方式では、排出された用紙が大きい場合に排紙トレイを延長しないと用紙がトレイから脱落してしまうため、排紙トレイ延長部材を必要とするが。この排紙トレイ延長部材が装置本体から突出してしまい、不必要時には無駄なスペースを取るという問題点がある。
【０００７】
本発明は、このような従来における問題点を解決するためになされたもので、後述のような性能を備えた自動給紙装置及び画像処理装置を提供することを目的とする。
【課題を解決するための手段】
【０００８】
前述の目的を達成するために、請求項１の自動給紙装置及び画像処理装置は、給紙カセットに載置された用紙幅ガイド装置の用紙幅に合わせたサイドガイドの用紙の給送方向に直交する方向への位置の違いを利用して、給紙カセットの装置本体への着脱と前述した排紙トレイ延長部材の用紙の排出方向への伸縮動作を連動することにより、排紙トレイ延長部材の必要時のみに突出させることにより、前述の問題点を解消させることを目的としている。
【発明の効果】
【０００９】
以上の説明のように、排紙トレイ延長部材の伸縮と給紙カセットの装置本体への挿抜の連動を可能にしたことにより、操作性の向上と省スペースに著しい効果をもたらすものである。
【発明を実施するための最良の形態】
【００１０】
以下、本発明の実施の形態を、図面を参照しながら説明する。
【００１１】
図１及び図２は、本考案実施例の自動給紙装置を搭載した画像処理装置の斜視図である。１は給紙カセット、２は排紙トレイ、３は排紙トレイ延長部材、４は装置本体を示す。図１は排紙トレイ延長部材３が装置本体４に収納された状態、図２は排紙トレイ延長部材３が突出した状態をそれぞれ示す。
【００１２】
給紙カセット１は装置本体４の前面方向へ引き出し、用紙をセットしたあと後面方向へ差し込む。給紙カセット１を差し込む方向が用紙給送方向であり、給紙カセット１を引き出す方向が用紙排出方向である。
【００１３】
図３は、給紙カセット１を上面から見た図である。６は用紙後端ガイドであり、給紙カセット１の給紙方向と平行に形成されたスリット状の溝１−２と、この溝１−２にスライド自在及び任意位置固定自在に取り付けられ、用紙の後端をガイドしている。５はサイドガイドであり、給紙カセット１の給紙方向と直角に形成されたスリット状の溝１−１と、この溝１−１にスライド自在及び任意位置固定自在に取り付けられ、用紙の側端をガイドしている。ここで５−ａの位置がＡ３用紙を、５−ｂの位置がＡ４用紙をガイドするものである。
【００１４】
次に、図４、５、６、７、を使って、給紙カセット１の装置本体４への着脱と、排紙トレイ延長部材３の伸縮を連動する機構を説明する。
【００１５】
連動部材７は、装置本体４に一体に具備した軸４−１を中心に回転可能に取り付けられており、ばね部材９によって反給紙方向へ付勢されている。連動部材７には、給紙カセット１のＡ３用紙をセットする位置にあるサイドガイド５−ａによって連動部材７が回動可能な位置にリブ７−１を配してあり、Ａ３用紙をセットした給紙カセット１を給紙方向へ挿入していくと、リブ７−１がサイドガイド５に一体に成されたボス５−１により押され、軸４−１を中心に回動する。一方、連動部材７に具備したリブ７−１の反対端にはボス７−２を配し、ボス７−２は装置本体４と一体に成された壁４−２に用紙半給紙正逆方向に平行にスライド可能に支持された連動部材８の長穴８−１と系合するようになっており、前述したように連動部材７が軸４−１を中心に回動すると、連動部材８は壁４−２にそって反給紙方向へスライドする。このとき連動部材８に具備された系合溝８−２と系合するべく排紙トレイ延長部材３と一体に成された連動棒３−１は排紙トレイ２の所定のガイドにそって反給紙方向へ突出する。給紙カセット１が装置本体４からはずされたときは、ばね部材９の付勢力により前述と反対の動きにより排紙トレイ延長部材３は排紙トレイ２に収納され図４の状態になる。また、給紙カセット１にＡ３用紙をセットする位置にあるサイドガイド５−ｂの状態で給紙カセット１を装置本体４へ挿入しても連動部材７に具備したリブ７−１とサイドガイド５に一体に成されたボス５−１とは系合しないため連動状態は図４の状態に留まるものである。図５は排紙トレイ延長部材３が突出したときの連動状態である。図６は連動構造の給紙方向と直交する断面図、図７は連動構造の給紙方向と平行な断面図である。
【００１６】
排紙トレイ延長部材３の伸縮と給紙カセット１の装置本体４への挿抜の連動機構は本実施例にとどまることなく、例えばソレノイド等を利用した電気的な連動でも良い。
【図面の簡単な説明】
【００１７】
【図１】本実施例の自動給紙装置を搭載した画像処理装置の斜視図（排紙トレイ延長部材収納状態）。
【図２】本実施例の自動給紙装置を搭載した画像処理装置の斜視図（排紙トレイ延長部材突出状態）。
【図３】給紙カセット上面図。
【図４】連動構造上面図（排紙トレイ延長部材収納状態）。
【図５】連動構造上面図（排紙トレイ延長部材突出状態）。
【図６】連動構造の給紙方向と直交する断面図。
【図７】連動構造の給紙方向と平行な断面図。
【符号の説明】
【００１８】
１  給紙カセット
２  排紙トレイ
３  排紙トレイ延長部材
４  装置本体
５  用紙サイドガイド
６  用紙後端ガイド
７  連動部材
８  連動部材
９  ばね部材
【図１】
2006193272.tif 000003
【図２】
2006193272.tif 000004
【図３】
2006193272.tif 000005
【図４】
2006193272.tif 000006
【図５】
2006193272.tif 000007
【図６】
2006193272.tif 000008
【図７】
2006193272.tif 000009